(57)【特許請求の範囲】
【請求項１】
エレベーターの制御装置および機器の一方からの信号の入力を受け付ける信号入力部と、
前記信号入力部に入力された信号から変換された信号を前記制御装置および前記機器の他方に出力する信号出力部と、
の複数の組を備え、
組となった信号入力部が信号出力部に接続された状態において試験モードが設定された際に、複数の組の各々において、信号出力部に試験信号を出力させた場合の信号入力部への当該試験信号の入力結果に基づいて故障診断を行い、一組の信号入力部と信号出力部との入出力関係で異常と判定された際に、当該信号入力部と他の信号出力部との入出力関係および他の信号入力部と当該信号出力部との入出力関係において故障診断を行う制御部、
を備えたエレベーターのインターフェース装置。
【請求項２】
エレベーターの制御装置からの信号の入力を受け付け、複数の機器の各々からの信号から変換された信号を前記制御装置に出力する第１信号入出力部と、
前記複数の機器の各々からの信号の入力を受け付け、前記制御装置からの信号から変換された信号を前記複数の機器の各々に出力する第２信号入出力部と、
の複数の組を備え、
組となった第１信号入出力部が第２信号入出力部に接続された状態において試験モードが設定された際に、複数の組の各々において、第１信号入出力部に第１試験信号を出力させた場合の第２信号入出力部への当該第１試験信号の入力結果に基づいて第１故障診断を行い、第２信号入出力部に第２試験信号を出力させた場合の第１信号入出力部への当該第２試験信号の入力結果に基づいて第２故障診断を行い、一組の第１信号入出力部と第２信号入出力部との入出力関係で異常と判定された際に、当該第１信号入出力部と他の第２信号入出力部との入出力関係および他の第１信号入出力部と当該第２信号入出力部との入出力関係において故障診断を行う制御部、
を備えたエレベーターのインターフェース装置。
【請求項３】
外部からの操作を受け付ける操作部、
を備え、
前記制御部は、前記操作部の操作に基づいて前記試験モードとなる請求項１または請求項２に記載のエレベーターのインターフェース装置。
【発明の詳細な説明】
【技術分野】
【０００１】
この発明は、エレベーターの信号を変換する機能を備えたインターフェース装置に関する。
【背景技術】
【０００２】
特許文献１は、エレベーターのインターフェース装置を開示する。当該インターフェース装置は、エレベーターのリニューアル時に利用される。具体的には、エレベーターの制御装置と機器との間に接続される。当該インターフェース装置は、制御装置と機器との間に流れる信号を適切な方式の信号に変換する。
【先行技術文献】
【特許文献】
【０００３】
【特許文献１】国際公開第２０１１／００１４９５号
【発明の概要】
【発明が解決しようとする課題】
【０００４】
しかしながら、特許文献１に記載のインターフェース装置は、エレベーターのリニューアル時に一時的に利用されるだけである。このため、インターフェース装置は、他のエレベーターのリニューアル時にも流用される。この際、インターフェース装置の動作等を事前に点検する必要がある。【０００５】
この発明は、上述の課題を解決するためになされた。この発明の目的は、容易に点検することができるエレベーターのインターフェース装置を提供することである。
【課題を解決するための手段】
【０００６】
この発明に係るエレベーターのインターフェース装置は、エレベーターの制御装置および機器の一方からの信号の入力を受け付ける信号入力部と、前記信号入力部に入力された信号から変換された信号を前記制御装置および前記機器の他方に出力する信号出力部と、の複数の組を備え、組となった信号入力部が信号出力部に接続された状態において試験モードが設定された際に、複数の組の各々において、信号出力部に試験信号を出力させた場合の信号入力部への当該試験信号の入力結果に基づいて故障診断を行い、一組の信号入力部と信号出力部との入出力関係で異常と判定された際に、当該信号入力部と他の信号出力部との入出力関係および他の信号入力部と当該信号出力部との入出力関係において故障診断を行う制御部、を備えた。
【０００７】
この発明に係るエレベーターのインターフェース装置は、エレベーターの制御装置からの信号の入力を受け付け、複数の機器の各々からの信号から変換された信号を前記制御装置に出力する第１信号入出力部と、前記複数の機器の各々からの信号の入力を受け付け、前記制御装置からの信号から変換された信号を前記複数の機器の各々に出力する第２信号入出力部と、の複数の組を備え、組となった第１信号入出力部が第２信号入出力部に接続された状態において試験モードが設定された際に、複数の組の各々において、第１信号入出力部に第１試験信号を出力させた場合の第２信号入出力部への当該第１試験信号の入力結果に基づいて第１故障診断を行い、第２信号入出力部に第２試験信号を出力させた場合の第１信号入出力部への当該第２試験信号の入力結果に基づいて第２故障診断を行い、一組の第１信号入出力部と第２信号入出力部との入出力関係で異常と判定された際に、当該第１信号入出力部と他の第２信号入出力部との入出力関係および他の第１信号入出力部と当該第２信号入出力部との入出力関係において故障診断を行う制御部、を備えた。
【発明の効果】
【０００８】
これらの発明によれば、インターフェース装置は、専用の試験装置を要することなく、自らを点検する。このため、インターフェース装置を容易に点検することができる。
【図面の簡単な説明】
【０００９】
【図１】実施の形態１におけるエレベーターのインターフェース装置が適用されるエレベーターシステムの構成図である。
【図２】実施の形態１におけるエレベーターのインターフェース装置の入出力の例を説明するための図である。
【図３】実施の形態１におけるエレベーターのインターフェース装置の点検方法の例を説明するための図である。
【図４】実施の形態１におけるエレベーターのインターフェース装置による機器信号入力部および機器信号出力部の故障診断動作の概要を説明するためのフローチャートである。
【図５】実施の形態１におけるエレベーターのインターフェース装置の要部のハードウェア構成図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略する。
【００１１】
実施の形態１．
図１は実施の形態１におけるエレベーターのインターフェース装置が適用されるエレベーターシステムの構成図である。
【００１２】
図１において、エレベーターは、リニューアルの途中である。昇降路１は、図示されない建築物の各階を貫く。機械室２は、昇降路１の直上に設けられる。複数の乗場３の各々は、建築物の各階に設けられる。複数の乗場３の各々は、昇降路１に対向する。
【００１３】
既設の巻上機４は、機械室２に設けられる。既設の主ロープ５は、既設の巻上機４の綱車に巻き掛けられる。
【００１４】
既設のかご６は、昇降路１の内部に設けられる。既設のかご６は、既設の主ロープ５の一側に吊るされる。既設の釣合おもり７は、昇降路１の内部に設けられる。既設の釣合おもり７は、既設の主ロープ５の他側に吊るされる。
【００１５】
複数の既設の乗場ドア装置８の各々は、複数の乗場３の各々の出入口に設けられる。既複数の既設の乗場機器９の各々は、複数の乗場３の出入口に設けられる。既設のかごドア装置１０は、既設のかご６の出入口に設けられる。既設のかご機器１１は、既設のかご６に設けられる。
【００１６】
新設の制御装置１２は、機械室２に設けられる。インターフェース装置１３は、機械室２に一時的に設けられる。インターフェース装置１３は、既設の巻上機４と複数の既設の乗場機器９の各々と既設のかご機器１１とに電気的に接続される。インターフェース装置１３は、新設の制御装置１２と電気的に接続される。
【００１７】
例えば、複数の既設の乗場機器９の各々とかご機器１１とは、外部からの操作に基づいて機器情報を送信する。インターフェース装置１３は、当該機器情報を新設の制御装置１２の方式に合わせた機器情報に変換する。新設の制御装置１２は、インターフェース装置１３により変換された機器情報に基づいて制御信号を送信する。インターフェース装置１３は、当該制御信号を既設の巻上機４と複数の既設の乗場機器９の各々とかご機器１１との方式に合わせた制御信号に変換する。既設の巻上機４と複数の既設の乗場機器９の各々と既設のかご機器１１とは、インターフェース装置１３により変換された制御信号に基づいて動作する。
【００１８】
次に、図２を用いて、インターフェース装置１３の入出力の例を説明する。
図２は実施の形態１におけるエレベーターのインターフェース装置の入出力の例を説明するための図である。
【００１９】
図２に示されるように、インターフェース装置１３は、機器信号入力部１３ａと機器信号出力部１３ｂと制御信号入力部１３ｃと制御信号出力部１３ｄと第１信号入出力部１３ｅと第２信号入出力部１３ｆと操作部１３ｇと表示部１３ｈと制御部１３ｉとを備える。
【００２０】
機器信号入力部１３ａは、機器からの機器信号の入力を受け付け得るように設けられる。例えば、機器信号入力部１３ａは、かご機器１１としてのドア関連スイッチ１１ａからの機器信号の入力を受け付け得るように設けられる。機器信号出力部１３ｂは、機器信号入力部１３ａに入力された機器信号から変換された機器信号を制御装置１２に出力し得るように設けられる。
【００２１】
制御信号入力部１３ｃは、制御装置１２からの制御信号の入力を受け付け得るように設けられる。制御信号出力部１３ｄは、制御信号入力部１３ｃに入力された制御信号から変換された制御信号を機器に出力し得るように設けられる。例えば、制御信号出力部１３ｄは、制御信号入力部１３ｃに入力された制御信号から変換された制御信号をかご機器１１としてドア装置１１ｂに出力し得るように設けられる。
【００２２】
第１信号入出力部１３ｅと第２信号入出力部１３ｆとは、直列伝送に対応した入出力部である。第１信号入出力部１３ｅは、新設の制御装置１２からの制御信号の入力を受け付け得るように設けられる。第１信号入出力部１３ｅは、複数の機器からの機器信号からそれぞれ変換された複数の機器信号を制御装置１２に出力し得るように設けられる。例えば、第１信号入出力部１３ｅは、乗場機器９としての複数の乗場釦９ａからの機器信号からそれぞれ変換された複数の機器信号を制御装置１２に出力し得るように設けられる。第２信号入出力部１３ｆは、複数の機器の各々からの機器信号の入力を受け付け得るように設けられる。例えば、第２信号入出力部１３ｆは、乗場機器９としての複数の乗場釦９ａの各々からの機器信号の入力を受け付け得るように設けられる。第２信号入出力部１３ｆは、新設の制御装置１２からの複数の制御信号からそれぞれ変換された制御信号を複数の機器にそれぞれ出力し得るように設けられる。例えば、第２信号入出力部１３ｆは、新設の制御装置１２からの複数の制御信号からそれぞれ変換された制御信号を複数の機器にそれぞれ出力し得るように設けられる。
【００２３】
操作部１３ｇは、外部からの操作を受け付け得るように設けられる。例えば、操作部１３ｇは、ロータリースイッチである。表示部１３ｈは、情報を外部に表示し得るように設けられる。例えば、表示部１３ｈは、７セグメントディスプレイである。
【００２４】
制御部１３ｉは、インターフェース装置１３の動作を全体的に制御し得るように設けられる。例えば、制御部１３ｉは、信号を適切に変換し得るように設けられる。
【００２５】
次に、図３を用いて、インターフェース装置１３の点検方法の例を説明する。
図３は実施の形態１におけるエレベーターのインターフェース装置の点検方法の例を説明するための図である。
【００２６】
図３に示されるように、インターフェース装置１３の点検時において、機器信号入力部１３ａは、試験用ケーブルを介して機器信号出力部１３ｂに一時的に接続される。制御信号入力部１３ｃは、試験用ケーブルを介して制御信号出力部１３ｄに一時的に接続される。第１信号入出力部１３ｅは、試験用ケーブルを介して第２信号入出力部１３ｆに一時的に接続される。この状態において、操作部１３ｇが予め設定された操作を受け付けた場合、制御部１３ｉは、試験モードとなる。
【００２７】
試験モードにおいて、制御部１３ｉは、機器信号出力部１３ｂに機器用試験信号を出力させる。制御部１３ｉは、機器信号入力部１３ａへの機器用試験信号の入力結果に基づいて機器信号入力部１３ａおよび機器信号出力部１３ｂの故障診断を行う。具体的には、機器用試験信号が機器信号入力部１３ａに入力されたとの結果が得られない場合、制御部１３ｉは、機器信号入力部１３ａまたは機器信号出力部１３ｂが故障していると判定する。
【００２８】
試験モードにおいて、制御部１３ｉは、制御信号出力部１３ｄに制御用試験信号を出力させる。制御部１３ｉは、制御信号入力部１３ｃへの制御用試験信号の入力結果に基づいて制御信号入力部１３ｃおよび制御信号出力部１３ｄの故障診断を行う。具体的には、制御用試験信号が制御信号入力部１３ｃに入力されたとの結果が得られない場合、制御部１３ｉは、制御信号入力部１３ｃまたは制御信号出力部１３ｄが故障していると判定する。
【００２９】
試験モードにおいて、制御部１３ｉは、第１信号入出力部１３ｅに第１直列伝送用試験信号を出力させる。制御部１３ｉは、第２信号入出力部１３ｆへの第１直列伝送用試験信号の入力結果に基づいて第１信号入出力部１３ｅおよび第２信号入出力部１３ｆの故障診断を行う。具体的には、第１直列伝送用試験信号が第２信号入出力部１３ｆに入力されたとの結果が得られない場合、制御部１３ｉは、第１信号入出力部１３ｅまたは第２信号入出力部１３ｆが故障していると判定する。
【００３０】
試験モードにおいて、制御部１３ｉは、第２信号入出力部１３ｆに第２直列伝送用試験信号を出力させる。制御部１３ｉは、第１信号入出力部１３ｅへの第２直列伝送用試験信号の入力結果に基づいて第１信号入出力部１３ｅおよび第２信号入出力部１３ｆの故障診断を行う。具体的には、第２直列伝送用試験信号が第１信号入出力部１３ｅに入力されたとの結果が得られない場合、制御部１３ｉは、第１信号入出力部１３ｅまたは第２信号入出力部１３ｆが故障していると判定する。
【００３１】
次に、図４を用いて、インターフェース装置１３による機器信号入力部１３ａおよび機器信号出力部１３ｂの故障診断動作の概要を説明する。
図４は実施の形態１におけるエレベーターのインターフェース装置による機器信号入力部および機器信号出力部の故障診断動作の概要を説明するためのフローチャートである。
【００３２】
ステップＳ１では、インターフェース装置１３は、点検モードが設定されているか否かを判定する。ステップＳ１で点検モードが設定されていない場合、インターフェース装置１３は、ステップＳ１の動作を行う。ステップＳ１で点検モードが設定されている場合、インターフェース装置１３は、ステップＳ２の動作を行う。
【００３３】
ステップＳ２では、インターフェース装置１３は、機器信号出力部１３ｂに機器用試験信号を出力させる。その後、インターフェース装置１３は、ステップＳ３の動作を行う。ステップＳ３では、インターフェース装置１３は、機器用試験信号が機器信号入力部１３ａに入力されたとの結果が得られたか否かを判定する。
【００３４】
ステップＳ３で機器用試験信号が機器信号入力部１３ａに入力されたとの結果が得られた場合、インターフェース装置１３は、ステップＳ４の動作を行う。ステップＳ４では、インターフェース装置１３は、機器信号入力部１３ａおよび機器信号出力部１３ｂが正常である判定する。この際、インターフェース装置１３は、表示部１３ｈにおいて正常であることを示す情報を表示する。
【００３５】
ステップＳ３で機器用試験信号が機器信号入力部１３ａに入力されたとの結果が得られない場合、インターフェース装置１３は、ステップＳ５の動作を行う。ステップＳ５では、インターフェース装置１３は、機器信号入力部１３ａまたは機器信号出力部１３ｂが異常であると判定する。この際、インターフェース装置１３は、表示部１３ｈにおいて異常であることを示す情報を表示する。
【００３６】
図示されないが、制御信号入力部１３ｃおよび制御信号出力部１３ｄの故障診断動作も、機器信号入力部１３ａおよび機器信号出力部１３ｂの故障診断動作と同様である。制御信号入力部１３ｃおよび制御信号出力部１３ｄの故障診断動作も、第１信号入出部および第２信号入出力部１３ｆの故障診断動作と同様である。
【００３７】
以上で説明した実施の形態１によれば、インターフェース装置１３は、専用の試験装置を要することなく、自らを点検する。このため、インターフェース装置１３を容易に点検することができる。
【００３８】
また、機器信号入力部１３ａは、機器からの機器信号の入力を受け付ける。機器信号出力部１３ｂは、機器信号入力部１３ａに入力された機器信号から変換された機器信号を制御装置１２に出力する。このため、新設の制御装置１２に対し、既設の機器からの機器信号を適切な方式の機器信号に変換した上で出力することができる。
【００３９】
また、制御信号入力部１３ｃは、制御装置１２からの制御信号の入力を受け付ける。制御信号出力部１３ｄは、制御信号入力部１３ｃに入力された制御信号から変換された制御信号を機器に出力する。このため、既設の機器に対し、新設の制御装置１２からの制御信号を適切な方式の制御信号に変換した上で出力することができる。
【００４０】
また、操作部１３ｇの操作に基づいて試験モードが設定される。このため、インターフェース装置１３を容易に点検することができる。
【００４１】
なお、複数の機器信号入力部１３ａと複数の機器信号出力部１３ｂとが存在する場合、一組の機器信号入力部１３ａと機器信号出力部１３ｂとの入出力関係で異常と判定された際に、当該機器信号入力部１３ａと他の機器信号出力部１３ｂとの入出力関係および他の機器信号入力部１３ａと当該機器信号出力部１３ｂとの入出力関係において故障診断を行えばよい。この場合、一組の機器信号入力部１３ａと機器信号出力部１３ｂのうちのどちらが異常であるのかを確認することができる。同様の確認方法は、制御信号入力部１３ｃと制御信号出力部１３ｄとの入出力関係および第１信号入出力部１３ｅと第２信号入出力部１３ｆの入出力関係にも適用できる。
【００４２】
また、工場等においてインターフェース装置１３の全ての入出力関係を確認し、エレベーターのリニューアルを行う現地においてインターフェース装置１３で重要な入出力関係のみを確認してもよい。この場合、インターフェース装置１３が工場等から現地まで運搬される際に振動等により重大な異常が発生したか否かを現地において確認することができる。
【００４３】
次に、図５を用いて、インターフェース装置１３の要部の例を説明する。
図５は実施の形態１におけるエレベーターのインターフェース装置の要部のハードウェア構成図である。
【００４４】
インターフェース装置１３の要部の各機能は、処理回路により実現し得る。例えば、処理回路は、少なくとも１つのプロセッサ１００ａと少なくとも１つのメモリ１００ｂとを備える。例えば、処理回路は、少なくとも１つの専用のハードウェア２００を備える。
【００４５】
処理回路が少なくとも１つのプロセッサ１００ａと少なくとも１つのメモリ１００ｂとを備える場合、インターフェース装置１３の要部の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１００ｂに格納される。少なくとも１つのプロセッサ１００ａは、少なくとも１つのメモリ１００ｂに記憶されたプログラムを読み出して実行することにより、インターフェース装置１３の要部の各機能を実現する。少なくとも１つのプロセッサ１００ａは、中央処理装置、処理装置、演算装置、マイクロプロセッサ、マイクロコンピュータ、ＤＳＰともいう。例えば、少なくとも１つのメモリ１００ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００４６】
処理回路が少なくとも１つの専用のハードウェア２００を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、インターフェース装置１３の要部の各機能は、それぞれ処理回路で実現される。例えば、インターフェース装置１３の要部の各機能は、まとめて処理回路で実現される。
【００４７】
インターフェース装置１３の要部の各機能について、一部を専用のハードウェア２００で実現し、他部をソフトウェアまたはファームウェアで実現してもよい。例えば、点検モード時の試験信号を処理する機能については専用のハードウェア２００としての処理回路で実現し、点検モード時の試験信号を処理する機能以外の機能については少なくとも１つのプロセッサ１００ａが少なくとも１つのメモリ１００ｂに格納されたプログラムを読み出して実行することにより実現してもよい。
【００４８】
このように、処理回路は、ハードウェア２００、ソフトウェア、ファームウェア、またはこれらの組み合わせでインターフェース装置１３の要部の各機能を実現する。
【００４９】
図示されないが、制御装置１２の要図の各機能も、インターフェース装置１３の要部の各機能を実現する処理回路と同等の処理回路で実現される。
【産業上の利用可能性】
【００５０】
以上のように、この発明に係るエレベーターのインターフェース装置１３は、エレベーターシステムのリニューアルに利用できる。
【符号の説明】
【００５１】
１  昇降路、  ２  機械室、  ３  乗場、  ４  巻上機、  ５  主ロープ、  ６  かご、  ７  釣合おもり、  ８  乗場ドア装置、  ９  乗場機器、  ９ａ  乗場釦、  １０  かごドア装置、  １１  かご機器、  １１ａ  ドア関連スイッチ、  １１ｂ  ドア装置、  １２  制御装置、  １３  インターフェース装置、  １３ａ  機器信号入力部、  １３ｂ  機器信号出力部、  １３ｃ  制御信号入力部、  １３ｄ  制御信号出力部、  １３ｅ  第１信号入出力部、  １３ｆ  第２信号入出力部、  １３ｇ  操作部、  １３ｈ  表示部、  １３ｉ  制御部、  １００ａ  プロセッサ、  １００ｂ  メモリ、  ２００  ハードウェア
【要約】
容易に点検することができるエレベーターのインターフェース装置を提供する。エレベーターのインターフェース装置は、エレベーターの制御装置および機器の一方からの信号の入力を受け付ける信号入力部と、前記信号入力部に入力された信号から変換された信号を前記制御装置および前記機器の他方に出力する信号出力部と、前記信号入力部が前記信号出力部に接続された状態において試験モードが設定された際に、前記信号出力部に試験信号を出力させた場合の前記信号入力部への当該試験信号の入力結果に基づいて故障診断を行う制御部と、を備えた。【図１】
0006825759.tif 000002
【図２】
0006825759.tif 000003
【図３】
0006825759.tif 000004
【図４】
0006825759.tif 000005
【図５】
0006825759.tif 000006